(57)【特許請求の範囲】
【請求項１】
通話の聞き取りを行う耳当て部を有したハンドセットを、着脱自在に縦置きセットするハンドセット受け台において、ハンドセットの耳当て部を上側にして、そのハンドセットを縦置きセットしたとき、ハンドセット本体より突出した耳当て部の下端面を受け止めて、ハンドセットを支えるハンドセット耳当て受け部と、ハンドセットの自重による回転モーメントにより、耳当て部の部位がハンドセット受け台から離間する方向に、当該ハンドセットが回転しようとするのを止めるハンドセット背面受け部とを有していることを特徴とするハンドセット受け台。
【請求項２】
ハンドセットの耳当て部を上側にして、そのハンドセットを縦置きセットしたとき、耳当て部の下方であって、ハンドセット受け台と対面したハンドセット本体内面部を受けるハンドセット内面受け部を有している請求項１に記載のハンドセット受け台。
【請求項３】
各受け部は、ハンドセットがその縦方向及び横方向に着脱自在となるように配置されている請求項１又は２に記載のハンドセット受け台。
【請求項４】
ハンドセット受け台は、面状ファスナによって、ハンドセット受け台取り付け部に対して着脱可能に固定保持される請求項１又は２に記載のハンドセット受け台。
【発明の詳細な説明】
【０００１】
【発明の属する技術分野】
本発明は、通話の聞き取りを行う耳当て部を有したハンドセットを、着脱自在に縦置きセットするハンドセット受け台に関するものである。
【０００２】
【従来の技術】
単体で用いられたり、或いはファクシミリや画像形成装置のＯＡ機器などに備え付けられる電話機や、家庭で用いられる通話機などのハンドセットには、大きく大別して横置き式のものと縦置き式のものとがある。前者の横置き式のハンドセットの受け台は、一般に、ハンドセットの下側を被う皿タイプのものとなっている。図９にはその一例が示されており、オンオフフック１０３を有するハンドセット１０１は、皿状のハンドセット受け台１０２に略水平に置かれてセットされる。
【０００３】
一方、図１０には、壁掛け式の電話機などで知られている縦置き式のハンドセットの受け台の一例が示されており、受け台１０２Ａに設けられた爪状のフック１０４Ａには、オンオフフック１０３Ａを備えたハンドセット１０１Ａの凹部１０５Ａが引つ掛けられるようになっている。この例に示したハンドセットの例では、フック１０４Ａに引っ掛けられる凹部１０５Ａが、通話の聞き取りを行う耳当て部１０６Ａの下部に設けられている。
【０００４】
かようなハンドセット受け台１０２Ａを用いると、ハンドセット１０１Ａに凹部１０５Ａのようなフック引っ掛け用凹部が必要となるため、ハンドセット１０１Ａの内側の外観品質（見ばえ）が悪くなる。
【０００５】
また、ハンドセット受け台側においても、爪状のフック１０４Ａが必要となるため、ハンドセット受け台をプラスチック成形品とする場合、その成形時に成形品の型抜きが可能となるように、スライド型を有する成形型が必要となるため、その型代が高くなり、ハンドセット受け台の製作費が上昇する。さらに、爪状のフック１０４Ａが小さいものとなっているため、受け台にセットされたハンドセットが外れ易くなったり、或いはそのフックの部位が破損し易くなる欠点を免れない。
【０００６】
【発明が解決しようとする課題】
本発明の目的は、上記従来欠点を全て除去したハンドセット受け台を提供することにある。
【０００７】
【課題を解決するための手段】
本発明は、上記目的を達成するため、冒頭に記載した形式のハンドセット受け台において、ハンドセットの耳当て部を上側にして、そのハンドセットを縦置きセットしたとき、ハンドセット本体より突出した耳当て部の下端面を受け止めて、ハンドセットを支えるハンドセット耳当て受け部と、ハンドセットの自重による回転モーメントにより、耳当て部の部位がハンドセット受け台から離間する方向に、当該ハンドセットが回転しようとするのを止めるハンドセット背面受け部とを有していることを特徴とするハンドセット受け台を提案する（請求項１）。
【０００８】
その際、ハンドセット受け台が、ハンドセットの耳当て部を上側にして、そのハンドセットを縦置きセットしたとき、耳当て部の下方であって、ハンドセット受け台と対面したハンドセット本体内面部を受けるハンドセット内面受け部を有していると有利である（請求項２）。
【０００９】
また、上記各構成において、各受け部は、ハンドセットがその縦方向及び横方向に着脱自在となるように配置されていると有利である（請求項３）。
【００１０】
また、上記各構成において、ハンドセット受け台は、面状ファスナによって、ハンドセット受け台取り付け部に対して着脱可能に固定保持されると有利である（請求項４）。
【００１１】
【発明の実施の形態】
以下、本発明の実施形態例を図面に従って詳細に説明する。
【００１２】
図１は、本発明一実施形態例のハンドセット受け台を、ハンドセットの一部と共に示す側面図である。同図において、符号１は電話機のハンドセットを示し、このハンドセット１は、その本体１Ａと、該本体１Ａの長手方向一端側に位置し、当該本体１Ａに一体に形成された耳当て部６を有し、そのハンドセット本体１Ａの長手方向他端側に図示していない送話部が設けられている。ここで、通話者が受話機、すなわちハンドセットの本体１Ａを手で握り、耳当て部６を耳に当てて通話しているとき、通話者側となる本体１Ａの面１ａを内面、その反対側の面１ｂを背面と称することにする。通話の聞き取りを行う耳当て部６は、ハンドセット本体１Ａの内面１ａの側に位置し、その背面１ｂから離間する側に突出している。
【００１３】
符号２はハンドセット受け台を示し、この受け台２は、これを支持する取り付け部１０に固定されている。この取り付け部１０が、ハンドセット受け台２の取り付け部となるのである。なお、かかる取り付け部の好ましい具体例に関しては、その詳細を後述する。
【００１４】
ハンドセット受け台２は、通話の聞き取りを行う耳当て部６を有した上記ハンドセット１を着脱自在に縦置きセットするものであり、かかるハンドセット受け台２は、図１に示すように、ハンドセット１の耳当て部６を上側にし、図示していない送話部を下側にしてハンドセット１を受け台２に縦置きセットしたとき、ハンドセット本体１Ａより、その内面１ａの側に突出した耳当て部６の下端面を受け止めて、ハンドセットの自重を支えるハンドセット耳当て受け部７を有している。
【００１５】
さらに図示したハンドセット受け台２は、上述のようにハンドセット１の耳当て部６を上側にし、送話部を下側にして、ハンドセット１を縦置きセットしたとき、その耳当て部６の下方であって、ハンドセット受け台２と対面したハンドセット本体内面部を受けるハンドセット内面受け部８を有している。
【００１６】
本例のハンドセット受け台２は、その取り付け部１０に固定された基部２ａと該基部２ａからハンドセット受け台取り付け部１０と反対側に突出する凸部２ｂとを有する本体部２Ａを備え、かかる本体部２Ａが略逆Ｌ字状に形成され、その凸部２ｂの上面の一部がハンドセット耳当て受け部７として形成され、凸部２ｂの正面の一部がハンドセット内面受け部８として形成されている。
【００１７】
また、ハンドセット受け台２は、上述のように、ハンドセット内面受け部８とハンドセット耳当て受け部７に係合して縦置きセットされたハンドセット１の自重による回転モーメントにより、耳当て部６がハンドセット受け台２の本体部２Ａから離間する方向に、当該ハンドセット１が回転しようとするのを止めるハンドセット背面受け部９を有している。
【００１８】
本例では、図２に示すように、ハンドセット受け台２の本体部２Ａに、その一方の側部から腕部２Ｂが突出形成されていて、この腕部２Ｂは、前述のようにセットされたハンドセット１の一方の側面に沿って延びている。そして、その腕部２Ｂの先端より直角に曲がってハンドセット受け台本体部２Ａに対向した延伸部２Ｃの内側が、ハンドセット背面受け部９となっている。ハンドセット耳当て受け部７と、ハンドセット内面受け部８だけでは、ハンドセット１が外れてしまうので、ハンドセット１の上側の背面１ｂに対向するハンドセット背面受け部９をハンドセット受け台本体部２Ａに一体に設けたのである。
【００１９】
上述のようにして、本例のハンドセット受け台２は、縦置きセットされたハンドセット１を受けるハンドセット耳当て受け部７と、ハンドセット内面受け部８と、ハンドセット背面受け部９を有し、これらの受け部によってハンドセット１を安定状態に保持することができる。その際、ハンドセット内面受け部８を省略し、ハンドセット耳当て受け部７とハンドセット背面受け部９だけでハンドセットを保持することもできるが、図示した例のようにハンドセット内面受け部８によってもハンドセット１を受けるようにすれば、より一層そのハンドセット１を安定状態で保持することができる。
【００２０】
受け部７，８は、ハンドセット１が図１に示すように縦置きセットされた状態で、そのハンドセット１に対して前述の方向に回転モーメントが作用するように配置され、その回転をハンドセット背面受け部９によって阻止する。
【００２１】
なお、ハンドセット１が縦置きセットされた状態で、オンオフフック３はハンドセット内面受け部８によって押され、ハンドセット本体１Ａ内に入り込んでおり、この態勢で、ハンドセット１内の通話回路系（不図示）はオフとなっている。このように、図示した例では、オンオフフック３がハンドセット内面受け部８に当り、当該受け部８は、オンオフフック３を介して、ハンドセット内面部を受けているが、ハンドセット内面受け部８が、直にハンドセット内面部を受けるように構成してもよい。
【００２２】
ハンドセット１を外すときは、図１に示したハンドセット１を図の態位のままで、若干、図３に示した位置まで持ち上げた上、それを下降させつつ、図４に示すように、延伸部２Ｃとハンドセット受け台本体部２Ａとの間から抜き出す。
【００２３】
ハンドセット１をハンドセット受け台２にセットするときは、耳当て部６を上側にした姿勢のハンドセット１を、図４に示した延伸部２Ｃと受け台本体部２Ａとの間に向けて持ち上げつつ、両者の間を通過させた上、耳当て部６の下端面を図１に示す如くハンドセット耳当て受け部７の上に乗せる。この状態で手を離せば、前述のモーメントによって回転しようとするハンドセット１はハンドセット背面受け部９によって止められ、この態勢でハンドセット１は縦置きセットされる。各受け部７，８，９は、このようにハンドセット１が着脱自在となるように配置されるのである。
【００２４】
なお、本例では、ハンドセット１を、その受け台２の腕部２Ｂが存在しない側、すなわち図２に矢印ａで示す水平方向にも外すことができるようになっている。すなわち、ハンドセット１は、それぞれ一方向ではあるが、縦方向（上下方向）及び横方向（水平方向）に着脱自在となっているのである。各受け部７，８，９は、ハンドセット１がその縦方向及び横方向に着脱可能となるように配置されているのである。
【００２５】
本例のハンドセット受け台２は、図１０に示した如きフック１０４Ａを有していないので、受け台２をプラスチック成形によって製作する場合、その成形時に型抜きのためのスライド型が不要となり、型代を低く抑えることができ、その製作費を安くすることができる。この点については、ハンドセット本体１Ａにも凹部１０５Ａ（図１０）を設ける必要がないため、これを、スライド型なしで容易かつ低コストで成形することができる。またハンドセット受け台２をプラスチック以外の材質、例えば板金などで作製する場合でも、その構成形状が単純となるので、その製作費を安くすることができる。また、ハンドセット受け台２には、ハンドセット１の凹部を引っ掛けるためのフック１０４Ａ（図１０）などの小形突起が不要となるので、その破損などを心配する必要がなくなり、ハンドセット受け台２の耐久性を向上させることができる。
【００２６】
さらに、本例のハンドセット受け台２を用いた場合、ハンドセット１にフック係合用の凹部などが不要となり、その形状が単純となるので、ハンドセットの製作費も安くすることができると共に、ハンドセットの外観品質を上げることができる。この他、従来の場合は、図９及び図１０に示すように、ハンドセット受け台１０２，１０２Ａが、ハンドセット１０１，１０１Ａと略同じ大きさのものになっていたが、本例のハンドセット受け台２では、これを、そのような大きさのものにする必要がなく、より小さなコンパクトなものとすることができる。
【００２７】
図１０に示した従来例では、凹部１０５Ａをフック１０４Ａから外す方向にしか、ハンドセット１０１Ａを取り外すことができなかったが、本例では、ハンドセット１の縦方向の他に、図２に示すように水平方向（ａ方向）にもハンドセットを外すことができるのである。また、本例のものでは、ハンドセットのセット操作時にハンドセット側の凹部が、ハンドセット受け台側のフックに対し係脱したか否かを気にする必要もなく、その操作性も高められる。
【００２８】
図２に示す例において、ハンドセット受け台本体部２Ａのうち、幅がＷなる横方向側部Ｂを若干、上に延ばして、この延ばした部分を、図７に示すように、側壁部２Ｄとして構成することにより、同図に示すハンドセット受け台２に縦置きセットされたハンドセット１を、そのハンドセット受け台２から横方向に脱落しにくくすることができる。この例の場合でも、図７に示すハンドセット１を持ち上げて、耳当て部６の下端部を側壁部２Ｄよりも上に持って行くことで、ハンドセットをその横方向、すなわちａ方向（図１）に外すことができる。
【００２９】
ハンドセット受け台を図８に示すように構成しても良い。このハンドセット受け台２は、図２に示したハンドセット受け台２の腕部２Ｂ、すなわち、ハンドセット１の矢印ａ方向と反対方向の移動を止める腕部を無くし、代りに、ハンドセット受け台本体部２Ａより上方に延ばした直立腕部１２Ｂと、その上端から、セットされたハンドセット１の側に水平に延ばした水平腕部１２Ｃと、その先端から下方に延ばした下垂腕部１２Ｄとを一体に連続形成したものである。
【００３０】
下垂腕部１２Ｄの下端部からは、図面奥側に向けて水平に所定長さの腕部１２Ｅが略直角に折曲形成され、この部分１２Ｅが、ハンドセット背面受け部９を構成している。この例のハンドセット受け台２によれば、ハンドセット１を若干、上に移動させたあと、それを下降させることで、ハンドセット１をその縦方向に外すことができ、また、矢印ｂ方向から見て、ハンドセット１を図８に示す態位のまま、左右いずれの方向からも、その横方向に外すことができる。この例の場合は、３方向にハンドセットを着脱できるのである。
【００３１】
図１、図７、図８にそれぞれ示した例の各受け部７，８，９は、ハンドセット１がその縦方向及び横方向に着脱自在となるように配置されるのである。
【００３２】
このように、ハンドセット着脱方向の選択の幅を広げることにより、ハンドセット受け台周りの、ある方向に物があったり、或いはハンドセット受け台周りの空間が狭くなっていても、違う方向からハンドセット１を容易に着脱できる。また、ハンドセット操作者の好きな方向からハンドセットを着脱でき、その操作性を向上させることができる。
【００３３】
ところで、ファクシミリ、或いは、電話機能やファクシミリ機能を備えた画像形成装置では、昨今、急速に小型化が進んでいる。さらに、オフィスなどではそれらを効率的に運用するため、かような装置を狭いスペースで設置するケースも多くなっている。例えば、ファクシミリや、これを付設した画像形成装置を、後ろが壁となっている位置や、左右や上が棚などとなっているスペースに設置するケースが多くなっているのである。
【００３４】
このようなことを考えた場合、ハンドセットを装置内部に収納したり、ハンドセットをハンドセット受け台とセットで、水平状態に寝かせたまま装置のカバーなどに取り付けたりすることは、時代に逆行するものと言える。かような点から、ハンドセットを縦置き式にして装置前面（オペレータ側）に、装置外部に直接、露出するように取り付けることが有利である。
【００３５】
そこで、ハンドセット受け台をファクシミリや画像形成装置などの装置の前面に、ネジや両面接着テープなどで固定支持することが考えられるが、このようにすると、ハンドセット受け台が強力に装置に固定されてしまうため、ハンドセット受け台や、これにセットされるハンドセットに人がぶつかってしまった場合、それらが破損するおそれがある。
【００３６】
そこで、ハンドセット受け台を次に述べるような方式で装置前面に取り付けると、上述した如き不具合を除去できる。
【００３７】
図５は、ハンドセット受け台を取り付けるファクシミリ機能付き画像形成装置１００の前面側を示す斜視図であり、先に説明したハンドセット受け台２は、装置前面の一方のコーナー側の枠部１０Ａより成るハンドセット受け台取り付け部１０に対して、面状ファスナ１４によって、着脱可能に固定保持されている。面状ファスナ１４は、図６に示すように、互いに対向した面に多数のループ状係合部と、多数のきのこ状係合部をそれぞれ有する２枚のシート１４Ａ，１４Ｂより成り、その係合部を有する面と反対側の各シートの面に接着剤（又は両面テープ）１５が塗布されており、一方の側の接着剤がハンドセット受け台２に、もう一方の接着剤が画像形成装置１００の前面枠部１０Ａ（図５）にそれぞれ貼り付けられる。
【００３８】
面状ファスナ１４は、その両シート１４Ａ，１４Ｂの係合部が互いに係合して接合され、又はその係合を解除することにより剥がされるのであるが、この際の剥離力は接着剤１５による接着力よりも弱く、しかもオペレータなどの人がハンドセットやハンドセット受け台２にぶつかったとき、面状ファスナ１４の両シート１４Ａ，１４Ｂが互いに剥がされるような力に設定されている。このようにすることで、人がハンドセットやハンドセット受け台２にぶつかっても、面状ファスナ１４のシート１４Ａ，１４Ｂが自動的に剥離するだけとなるので、ハンドセット、ハンドセット受け台２、画像形成装置１００などが破損するおそれはない。これに加えて、面状ファスナ１４の再付着を行えば、ハンドセット受け台２を即座に画像形成装置側に固定させることができる。低コストで、ハンドセット受け台２の固定保持の復元を即座に行うことができるのである。
【００３９】
面状ファスナ１４の両シート１４Ａ，１４Ｂを剥離する力については、その面積を変えた面状ファスナを用いることにより、種々、調整することができる。このように、ハンドセット受け台２を、面状ファスナ１４によって、図５に示した前面枠部１０Ａのようなハンドセット受け台取り付け部１０に対して、着脱可能に固定保持させる構成を採用することにより、上述した如き作用効果を奏することができるのである。
【００４０】
ハンドセット受け台２を固定保持するために、面状ファスナ１４を用いると、上述した利点が得られるが、そのほか修復に多少の手間がかかるが、両面テープを用いても良く、また、繰り返しの接着・剥離の機能を有するものであれば、吸盤や磁石などの着脱可能な固定保持手段を用いても良い。
【００４１】
本発明は、ハンドセット受け台側にオンオフフックを有するハンドセット受け台にも適用することができる。
【００４２】
【発明の効果】
請求項１に記載のハンドセット受け台によれば、ハンドセットを安定した状態で縦置きセットできる。しかもそのハンドセット受け台をプラスチック成形によって製作する場合において、型抜きのためのスライド型が不要となり、また板金製などの場合でも、形状が単純となるので、その製作費を安くすることができる。また、フックなどの小型突起が不要となるので、その破損などを心配するおそれがなく、ハンドセット受け台の耐久性を向上させることができる。さらに、ハンドセットの外観品質も上げることができ、ハンドセット受け台自体も一段とコンパクトなものとすることができる。
【００４３】
請求項２に記載のハンドセット受け台によれば、ハンドセットを縦置きセットしたとき、これをより一層安定した状態に保持することができる。
【００４４】
請求項３に記載のハンドセット受け台によれば、その近傍に他の物があっても、ハンドセット着脱方向の選択性の幅を広げることができるため、その着脱操作性が低下する不具合を阻止できる。
【００４５】
請求項４に記載のハンドセット受け台によれば、人がハンドセットやハンドセット受け台にぶつかったとしても、それらの破損を防止でき、加えて、ハンドセット受け台を、ハンドセット受け台取り付け部に極めて容易に、しかも即座に再固定することができる。
【図面の簡単な説明】
【図１】本発明一実施形態例のハンドセット受け台を、ハンドセットの一部と共に示す側面図である。
【図２】本発明一実施形態例のハンドセット受け台を、ハンドセットの一部と共に示す斜視図である。
【図３】図１に示したハンドセットをハンドセット受け台から外すときの初期状態を示す側面図である。
【図４】図３に示したハンドセットをハンドセット受け台から外している中途状態を示す側面図である。
【図５】ハンドセット受け台が固定保持される画像形成装置の一部を示す斜視図である。
【図６】ハンドセット受け台を固定保持する面状ファスナを模式的に示す説明図である。
【図７】別の実施形態例のハンドセット受け台をハンドセットの一部と共に示す側面図である。
【図８】さらに別の実施形態例のハンドセット受け台をハンドセットの一部と共に示す側面図である。
【図９】従来のハンドセット受け台をハンドセットと共に示す断面図である。
【図１０】別の従来例のハンドセット受け台の一部を、ハンドセットの一部と共に示す断面図である。
【符号の説明】
１  ハンドセット
１ａ  内面
２  ハンドセット受け台
６  耳当て部
７  ハンドセット耳当て受け部
８  ハンドセット内面受け部
９  ハンドセット背面受け部
１０  ハンドセット受け台取り付け部
１４  面状ファスナ
【図１】
0003568335.tif 000002
【図２】
0003568335.tif 000003
【図３】
0003568335.tif 000004
【図４】
0003568335.tif 000005
【図５】
0003568335.tif 000006
【図６】
0003568335.tif 000007
【図７】
0003568335.tif 000008
【図８】
0003568335.tif 000009
【図９】
0003568335.tif 000010
【図１０】
0003568335.tif 000011